【手続補正書】
【提出日】平成28年3月3日(2016.3.3)
【手続補正１】
【補正対象書類名】明細書
【補正対象項目名】００２３
【補正方法】変更
【補正の内容】
【００２３】
上記目的を達成するために、請求項１の画像形成装置は、電力消費量が異なる複数の電力状態で稼働可能であり、実際の電力状態を前記複数の電力状態間で変更するためにユーザにより操作されるスイッチを備えた画像形成装置であって、前記画像形成装置を制御する主制御手段と、前記主制御手段への電力供給を制御する電源供給制御手段と、前記主制御手段をリセットするリセット手段と、前記スイッチがユーザにより操作されたときに、前記スイッチが押下された時間と前記実際の電力状態に応じて監視時間を決定する決定手段と、前記ユーザにより前記スイッチが操作されると、前記ユーザが前記スイッチを操作した際に移行すべき電力状態を、前記スイッチが押下された時間と前記実際の電力状態に応じて判別する判別手段と、前記画像形成装置を、前記判別手段が判別した電力状態に移行させる移行処理を実行する実行手段と、前記スイッチが前記ユーザにより操作されたときの前記実際の電力状態に応じて、前記主制御手段に対して前記主制御手段への電力供給を遮断させるための動作及び前記リセット手段に対して前記主制御手段をリセットさせるための動作のいずれか一方の動作を、前記監視時間が経過したときに行うことを設定する設定手段と、前記決定手段により決定された監視時間が経過する前に前記実行手段によって実行される移行処理が完了しない場合、前記設定手段により設定された動作を実行する動作実行手段とを備えたことを特徴とする。
【手続補正２】
【補正対象書類名】特許請求の範囲
【補正対象項目名】全文
【補正方法】変更
【補正の内容】
【特許請求の範囲】
【請求項１】
電力消費量が異なる複数の電力状態で稼働可能であり、実際の電力状態を前記複数の電力状態間で変更するためにユーザにより操作されるスイッチを備えた画像形成装置であって、
前記画像形成装置を制御する主制御手段と、
前記主制御手段への電力供給を制御する電源供給制御手段と、
前記主制御手段をリセットするリセット手段と、
前記スイッチがユーザにより操作されたときに、前記スイッチが押下された時間と前記実際の電力状態に応じて監視時間を決定する決定手段と、
前記ユーザにより前記スイッチが操作されると、前記ユーザが前記スイッチを操作した際に移行すべき電力状態を、前記スイッチが押下された時間と前記実際の電力状態に応じて判別する判別手段と、
前記画像形成装置を、前記判別手段が判別した電力状態に移行させる移行処理を実行する実行手段と、
前記スイッチが前記ユーザにより操作されたときの前記実際の電力状態に応じて、前記主制御手段に対して前記主制御手段への電力供給を遮断させるための動作及び前記リセット手段に対して前記主制御手段をリセットさせるための動作のいずれか一方の動作を、前記監視時間が経過したときに行うことを設定する設定手段と、
前記決定手段により決定された監視時間が経過する前に前記実行手段によって実行される移行処理が完了しない場合、前記設定手段により設定された動作を実行する動作実行手段と
を備えたことを特徴とする画像形成装置。
【請求項２】
前記複数の電力状態は、第１の電力状態と、前記第１の電力状態よりも消費電力が少ない第２の電力状態と、電力の供給を遮断した電源オフ状態を含むことを特徴とする請求項１記載の画像形成装置。
【請求項３】
前記実際の電力状態が前記第２の電力状態であり、且つ、前記スイッチが押下された時間が予め定められた操作時間より短い場合には、
前記決定手段は、監視時間を予め定められた第１の監視時間に決定し、
前記設定手段は、前記リセット手段に前記主制御手段をリセットさせるための動作を行うことを設定することを特徴とする請求項２記載の画像形成装置。
【請求項４】
前記実際の電力状態が前記電源オフ状態であり、且つ、前記スイッチが押下された時間が予め定められた操作時間より短い場合には、
前記決定手段は、監視時間を前記第１の監視時間とは異なる予め定められた第２の監視時間に決定し、
前記設定手段は、前記リセット手段に前記主制御手段をリセットさせるための動作を行うことを設定することを特徴とする請求項２記載の画像形成装置。
【請求項５】
前記実際の電力状態が前記第１の電力状態または前記第２の電力状態であり、且つ、前記スイッチが押下された時間が予め定められた操作時間より長い場合には、
前記決定手段は、監視時間を予め定められた第３の監視時間に決定し、
前記設定手段は、前記主制御手段に対して前記主制御手段への電力供給を遮断させるための動作を行うことを設定することを特徴とする請求項２記載の画像形成装置。
【請求項６】
前記実際の電力状態が前記第１の電力状態であり、且つ、前記スイッチが押下される時間が予め定められた操作時間より短い場合には、
前記決定手段は、監視時間を予め定められた第４の監視時間に決定し、
前記設定手段は、前記主制御手段に対して前記主制御手段への電力供給を遮断させるための動作を行うことを設定することを特徴とする請求項２記載の画像形成装置。
【請求項７】
電力消費量が異なる複数の電力状態で稼働可能であり、実際の電力状態を前記複数の電力状態間で変更するためにユーザにより操作されるスイッチと、画像形成装置を制御する主制御手段と、前記主制御手段への電力供給を制御する電源供給制御手段と、前記主制御手段をリセットするリセット手段とを備えた画像形成装置の制御方法であって、
前記スイッチがユーザにより操作されたときに、前記スイッチが押下された時間と前記実際の電力状態に応じて監視時間を決定する決定ステップと、
前記ユーザにより前記スイッチが操作されると、前記ユーザが前記スイッチを操作した際に移行すべき電力状態を、前記スイッチが押下された時間と前記実際の電力状態に応じて判別する判別ステップと、
前記画像形成装置を、前記判別ステップが判別した電力状態に移行させる移行処理を実行する実行ステップと、
前記スイッチが前記ユーザにより操作されたときの前記実際の電力状態に応じて、前記主制御手段に対して前記主制御手段への電力供給を遮断させるための動作及び前記リセット手段に対して前記主制御手段をリセットさせるための動作のいずれか一方の動作を、前記監視時間が経過したときに行うことを設定する設定ステップと、
前記決定ステップにより決定された監視時間が経過する前に前記実行ステップによって実行される移行処理が完了しない場合、前記設定ステップにより設定された動作を実行する動作実行ステップと
を備えたことを特徴とする制御方法。
【請求項８】
前記複数の電力状態は、第１の電力状態と、前記第１の電力状態よりも消費電力が少ない第２の電力状態と、電力の供給を遮断した電源オフ状態を含むことを特徴とする請求項７記載の制御方法。
【請求項９】
前記実際の電力状態が前記第２の電力状態であり、且つ、前記スイッチが押下された時間が予め定められた操作時間より短い場合には、
前記決定ステップは、監視時間を予め定められた第１の監視時間に決定し、
前記設定ステップは、前記リセット手段に前記主制御手段をリセットさせるための動作を行うことを設定することを特徴とする請求項８記載の制御方法。
【請求項１０】
前記実際の電力状態が前記電源オフ状態であり、且つ、前記スイッチが押下された時間が予め定められた操作時間より短い場合には、
前記決定ステップは、監視時間を前記第１の監視時間とは異なる予め定められた第２の監視時間に決定し、
前記設定ステップは、前記リセット手段に前記主制御手段をリセットさせるための動作を行うことを設定することを特徴とする請求項８記載の制御方法。
【請求項１１】
前記実際の電力状態が前記第１の電力状態または前記第２の電力状態であり、且つ、前記スイッチが押下された時間が予め定められた操作時間より長い場合には、
前記決定ステップは、監視時間を予め定められた第３の監視時間に決定し、
前記設定ステップは、前記主制御手段に対して前記主制御手段への電力供給を遮断させるための動作を行うことを設定することを特徴とする請求項８記載の制御方法。
【請求項１２】
前記実際の電力状態が前記第１の電力状態であり、且つ、前記スイッチが押下される時間が予め定められた操作時間より短い場合には、
前記決定ステップは、監視時間を予め定められた第４の監視時間に決定し、
前記設定ステップは、前記主制御手段に対して前記主制御手段への電力供給を遮断させるための動作を行うことを設定することを特徴とする請求項８記載の制御方法。
【請求項１３】
電力消費量が異なる複数の電力状態で稼働可能であり、実際の電力状態を前記複数の電力状態間で変更するためにユーザにより操作されるスイッチと、画像形成装置を制御する主制御手段と、前記主制御手段への電力供給を制御する電源供給制御手段と、前記主制御手段をリセットするリセット手段とを備えた画像形成装置の制御方法をコンピュータに実行させるためのプログラムであって、
前記制御方法は、
前記スイッチがユーザにより操作されたときに、前記スイッチが押下された時間と前記実際の電力状態に応じて監視時間を決定する決定ステップと、
前記ユーザにより前記スイッチが操作されると、前記ユーザが前記スイッチを操作した際に移行すべき電力状態を、前記スイッチが押下された時間と前記実際の電力状態に応じて判別する判別ステップと、
前記画像形成装置を、前記判別ステップが判別した電力状態に移行させる移行処理を実行する実行ステップと、
前記スイッチが前記ユーザにより操作されたときの前記実際の電力状態に応じて、前記主制御手段に対して前記主制御手段への電力供給を遮断させるための動作及び前記リセット手段に対して前記主制御手段をリセットさせるための動作のいずれか一方の動作を、前記監視時間が経過したときに行うことを設定する設定ステップと、
前記決定ステップにより決定された監視時間が経過する前に前記実行ステップによって実行される移行処理が完了しない場合、前記設定ステップにより設定された動作を実行する動作実行ステップと
を備えたことを特徴とするプログラム。
【請求項１４】
前記複数の電力状態は、第１の電力状態と、前記第１の電力状態よりも消費電力が少ない第２の電力状態と、電力の供給を遮断した電源オフ状態を含むことを特徴とする請求項１３記載のプログラム。
【請求項１５】
前記実際の電力状態が前記第２の電力状態であり、且つ、前記スイッチが押下された時間が予め定められた操作時間より短い場合には、
前記決定ステップは、監視時間を予め定められた第１の監視時間に決定し、
前記設定ステップは、前記リセット手段に前記主制御手段をリセットさせるための動作を行うことを設定することを特徴とする請求項１４記載のプログラム。
【請求項１６】
前記実際の電力状態が前記電源オフ状態であり、且つ、前記スイッチが押下された時間が予め定められた操作時間より短い場合には、
前記決定ステップは、監視時間を前記第１の監視時間とは異なる予め定められた第２の監視時間に決定し、
前記設定ステップは、前記リセット手段に前記主制御手段をリセットさせるための動作を行うことを設定することを特徴とする請求項１４記載のプログラム。
【請求項１７】
前記実際の電力状態が前記第１の電力状態または前記第２の電力状態であり、且つ、前記スイッチが押下された時間が予め定められた操作時間より長い場合には、
前記決定ステップは、監視時間を予め定められた第３の監視時間に決定し、
前記設定ステップは、前記主制御手段に対して前記主制御手段への電力供給を遮断させるための動作を行うことを設定することを特徴とする請求項１４記載のプログラム。
【請求項１８】
前記実際の電力状態が前記第１の電力状態であり、且つ、前記スイッチが押下される時間が予め定められた操作時間より短い場合には、
前記決定ステップは、監視時間を予め定められた第４の監視時間に決定し、
前記設定ステップは、前記主制御手段に対して前記主制御手段への電力供給を遮断させるための動作を行うことを設定することを特徴とする請求項１４記載のプログラム。